(57)【要約】【課題】  本発明は、簡単な構造で、複数の容器を安定的に保持して収容できる手提袋を提供することを目的とする。【解決手段】  本発明は、少なくとも２つの容器を収容する手提袋であって、少なくとも２つの容器を載置する底部と、底部に立設した側部と、側部に形成した挿入部と、挿入部に挿通した紐体とからなり、紐体は保持部と把持部とを有し、手提袋の内側に位置する紐体の一部を容器を保持するための保持部と成すと共に、紐体のその他の一部を手提袋を持ち上げるための把持部と成し、手提袋の内側において、一対の側部の内面と保持部とによって囲まれる少なくとも２つの保持空間を有することを特徴とする手提袋である。【選択図】        図１
2006327626.tif 000002
【特許請求の範囲】
【請求項１】
少なくとも２つの容器を収容する手提袋であって、少なくとも２つの容器を載置する底部と、底部に立設した側部と、側部に形成した挿入部と、挿入部に挿通した紐体とからなり、紐体は保持部と把持部とを有し、手提袋の内側に位置する紐体の一部を容器を保持するための保持部と成すと共に、紐体のその他の一部を手提袋を持ち上げるための把持部と成し、手提袋の内側において、側部の内面と保持部とによって囲まれる少なくとも２つの保持空間を有することを特徴とする手提袋。
【請求項２】
少なくとも２つの容器を収容する手提袋であって、少なくとも２つの容器を載置する底部と、底部に立設した側部と、側部に形成した挿入部と、挿入部に挿通した第１紐体と第２紐体とからなり、側部は対向する一対の側部と対向する他の一対の側部によって底部の周縁を囲うようにして形成され、第１及び第２の紐体は少なくとも２つの保持部と把持部とを有し、手提袋の内側に位置する第１及び第２の紐体の一部を容器を保持するための保持部と成すと共に、手提袋の外側に位置する第１及び第２の紐体の一部を手提袋を持ち上げるための把持部と成し、手提袋の内側において、一対の側部の内面と保持部とによって囲まれる少なくとも２つの保持空間を有し、これらの保持空間は紐体の把持部をつかんで手提袋を持ち上げることによって縮小するものであることを特徴とする手提袋。
【請求項３】
２つの容器を収容する手提袋であって、２つの容器を載置する平坦な底部と、底部から立設した側部と、側部に形成した第１挿入部及び第２挿入部と、第１挿入部に挿通した第１紐体と第２挿入部に挿通した第２紐体とからなり、側部は一対の幅広側部と一対の幅狭側部とによって底部の周囲を囲うように形成され、第１挿入部は一の幅広側部に形成され水平方向に並ぶ複数の挿入孔によって構成され、第２挿入部は他の幅広側部に形成され水平方向に並ぶ複数の挿入孔によって構成され、手提袋の内側において、第１紐体のうち第１挿入部の隣り合う挿入孔間を挿通する部分を第１保持部と成すと共に、第２紐体のうち第２挿入部の隣り合う挿入孔間を挿通する部分を第２保持部と成し、第１保持部と一の幅広側部とによって囲まれた一の保持空間を形成し、第２保持部と他の幅広側部とによって囲まれた他の保持空間を有し、これらの保持空間は紐体の把持部をつかんで手提袋を持ち上げることによって縮小するものであることを特徴とする手提袋。
【請求項４】
２つの容器を収容する手提袋であって、２つの容器を載置する平坦な底部と、底部から立設した側部と、側部に形成した第１挿入部及び第２挿入部と、第１挿入部に挿通した第１紐体と、第２挿入部に挿通した第２紐体とからなり、側部は一対の幅広側部と一対の幅狭側部とによって底部の周囲を囲うように形成されており、第１紐体のうち第１挿入部を構成し対向する挿入孔間を挿通する部分を保持部とし、第２紐体のうち第２挿入部を構成し対向する挿入孔間を挿通する部分を保持部として、第１紐体の保持部と第２紐体の保持部とで容器を挟持するようにすると共に、第１紐体の保持部と第２紐体の保持部と一対の幅広側部とによって２つの保持空間を有し、これらの保持空間は第１及び第２紐体の把持部をつかんで手提袋を持ち上げることによって縮小するものであることを特徴とする手提袋。
【発明の詳細な説明】
【技術分野】
【０００１】
本発明は容器を収容する手提袋に関する。
【背景技術】
【０００２】
従来、ワイン瓶などの容器を収容する手提袋として、特許文献１のようなものが存在する。
【特許文献１】特開２００４―６７１３２号公報
【発明の開示】
【発明が解決しようとする課題】
【０００３】
しかし、この手提袋は構造が複雑であり、また、１本の容器を収容するものであって、複数の容器を収容することはできない。
【０００４】
そこで、本発明は、簡単な構造で、複数の容器を安定的に保持して収容できる手提袋を提供することを目的とする。
【課題を解決するための手段】
【０００５】
本発明は、少なくとも２つの容器を収容する手提袋であって、少なくとも２つの容器を載置する底部と、底部に立設した側部と、側部に形成した挿入部と、挿入部に挿通した紐体とからなり、紐体は保持部と把持部とを有し、手提袋の内側に位置する紐体の一部を容器を保持するための保持部と成すと共に、紐体のその他の一部を手提袋を持ち上げるための把持部と成し、手提袋の内側において、側部の内面と保持部とによって囲まれる少なくとも２つの保持空間を有することを特徴とする手提袋である。
【０００６】
本発明の手提袋は少なくとも２つの容器を収容し、容器が手提袋内でなるべく動かないように保持するためのものである。手提袋は底部と側部とからなる。底部は少なくとも２つの容器を載置するものであり、容器の大きさ・数に応じて適宜大きさを選択する。側部は底部から立設するものであり、その高さは容器の高さに応じて適宜選択する。底部と側部とで容器を収容する収容空間を形成する。
【０００７】
手提袋の側部には挿入部が形成される。挿入部は側部を貫通したものである。この挿入部に紐体を挿通して、紐体の一部を保持部とし、他の一部を保持部とする。挿入部に挿通した紐体のうち、手提袋の内側に位置する一部が容器を保持するための保持部である。そして、紐体の他の部分の一部が手提袋を持ち上げるための把持部である。
【０００８】
把持部をつかんで手提袋を持ち上げると、手提袋の内側に位置する紐体が挿入部を介して外側に送り出されるので、保持部を構成する紐体が短くなる。なお、保持部の数は容器の数に応じて定める。
【０００９】
保持部は側部との間で少なくとも２つの保持空間を形成する。保持空間は容器を保持するためのものであり、手提袋の内側に位置する保持部と、側部（の内面）の両者によって囲まれる空間である。
【００１０】
底部に容器を載置し、保持空間内に容器を設置して、紐体の把持部をつかんで手提袋を持ち上げると、手提袋の内側に位置していた紐体の一部が挿入部を介して外側に送り出されて、手提袋の内側に位置する保持部が短くなって、保持空間内に設置した容器が保持される。
【００１１】
また、本発明は、少なくとも２つの容器を収容する手提袋であって、少なくとも２つの容器を載置する底部と、底部に立設した側部と、側部に形成した挿入部と、挿入部に挿通した第１紐体と第２紐体とからなり、側部は対向する一対の側部と対向する他の一対の側部によって底部の周縁を囲うようにして形成され、第１及び第２の紐体は少なくとも２つの保持部と把持部とを有し、手提袋の内側に位置する第１及び第２の紐体の一部を容器を保持するための保持部と成すと共に、手提袋の外側に位置する第１及び第２の紐体の一部を手提袋を持ち上げるための把持部と成し、手提袋の内側において、一対の側部の内面と保持部とによって囲まれる少なくとも２つの保持空間を有し、これらの保持空間は紐体の把持部をつかんで手提袋を持ち上げることによって縮小するものであることを特徴とする手提袋である。
【００１２】
この発明の側部は、対向する一対の側部と対向する他の一対の側部とで構成され、これらの側部が底部の周囲を囲うようにして容器の収容空間を形成する。底部の形状が矩形状であれば、その周囲の四辺を一対の側部と他の側部で覆い囲うようになる。
【００１３】
この発明の紐体は別個独立の第１紐体と第２紐体を有する。第１及び第２紐体は少なくとも２つの保持部を有し、保持部は手提袋の内側にそれぞれ位置する。第１紐体の保持部と、一対の側部の内面との間で一の保持空間を形成すると共に、第２紐体の保持部と、一対の側部の内面との間で他の保持空間を形成する。
【００１４】
また、本発明は、２つの容器を収容する手提袋であって、２つの容器を載置する平坦な底部と、底部から立設した側部と、側部に形成した第１挿入部及び第２挿入部と、第１挿入部に挿通した第１紐体と第２挿入部に挿通した第２紐体とからなり、側部は一対の幅広側部と一対の幅狭側部とによって底部の周囲を囲うように形成され、第１挿入部は一の幅広側部に形成され水平方向に並ぶ複数の挿入孔によって構成され、第２挿入部は他の幅広側部に形成され水平方向に並ぶ複数の挿入孔によって構成され、手提袋の内側において、第１紐体のうち第１挿入部の隣り合う挿入孔間を挿通する部分を第１保持部と成すと共に、第２紐体のうち第２挿入部の隣り合う挿入孔間を挿通する部分を第２保持部と成し、第１保持部と一の幅広側部とによって囲まれた一の保持空間を形成し、第２保持部と他の幅広側部とによって囲まれた他の保持空間を有し、これらの保持空間は紐体の把持部をつかんで手提袋を持ち上げることによって縮小するものであることを特徴とする手提袋である。
【００１５】
本発明の底部は段部のない平坦な面である。側部は一対の幅広側部と一対の幅狭側部によって底部の周囲を囲うようにして形成される。一対の幅広側部とは他の一対の側部よりも幅が広いものである。一対の幅狭側部とは他の一対の側部よりも幅が狭いものである。
【００１６】
一対の幅広側部のそれぞれに複数の挿入孔を形成して第１挿入部と第２挿入部を構成する。第１挿入部は一の幅広側部に形成された複数の挿入孔で構成され、第２挿入部は他の幅広側部に形成された複数の挿入孔で構成される。
【００１７】
紐体は第１挿入部に挿通する第１紐体と、第２挿入部に挿通される第２紐体とからなる。すなわち、一の幅広側部に形成された第１挿入部に第１紐体を挿通し、他の幅広側部に形成された第２挿入部に第２紐体を挿通する。
【００１８】
第１及び第２紐体はそれぞれ手提袋の外側に位置する把持部と内側に位置する保持部を有する。手提袋の内側に位置する紐体のうち、互いに隣り合う挿入孔間に挿通される部分が保持部である。本発明の保持部は第１保持部と第２保持部を有する。第１保持部は一の容器を保持するものであり、第２保持部は他の容器を保持するためのものである。第１保持部は、第１挿入部を構成する挿入孔のうちで互いに隣り合う２つの挿入孔に挿通された第１紐体の一部である。また、第２保持部は、第２挿入部を構成する挿入孔のうちで互いに隣り合う２つの挿入孔に挿通された第２紐体の一部である。この第１紐体の一部（第１保持部）と、幅広側部（第１保持部を形成した側部）の内面で囲まれる空間が保持空間である。また第２紐体の一部（第２保持部）と、幅広側部（第２保持部を形成した側部）の内面で囲まれる空間が他の保持空間である。たとえば、図４に示すように、保持部２１ａと幅広側部１２ａの内面とで囲まれる空間が保持空間Ｓであり、保持部２１ａ´と幅広側部１２ａ´の内面とで囲まれる空間が保持空間Ｓ´である。
【００１９】
また、本発明は、２つの容器を収容する手提袋であって、２つの容器を載置する平坦な底部と、底部から立設した側部と、側部に形成した第１挿入部及び第２挿入部と、第１挿入部に挿通した第１紐体と、第２挿入部に挿通した第２紐体とからなり、側部は一対の幅広側部と一対の幅狭側部とによって底部の周囲を囲うように形成されており、第１紐体のうち第１挿入部を構成し対向する挿入孔間を挿通する部分を保持部とし、第２紐体のうち第２挿入部を構成し対向する挿入孔間を挿通する部分を保持部として、第１紐体の保持部と第２紐体の保持部とで容器を挟持するようにすると共に、第１紐体の保持部と第２紐体の保持部と一対の幅広側部とによって２つの保持空間を有し、これらの保持空間は第１及び第２紐体の把持部をつかんで手提袋を持ち上げることによって縮小するものであることを特徴とする手提袋である。
【００２０】
本発明は、対向する幅広側部のそれぞれに複数の挿入孔を形成して第１挿入部と第２挿入部を形成する。第１挿入部は複数の対向する挿入孔で構成される。すなわち、対向する一の幅広側部に形成された挿入孔と、対向する他の幅広側部に形成された挿入孔とで第１挿入部は構成される。同様に、第１挿入部とは異なる挿入部であって、対向する一の幅広側部に形成された挿入孔と、対向する他の幅広側部に形成された挿入孔とで第２挿入部は形成される。このような第１及び第２挿入部に紐体を挿通すると、紐体は対向する幅広側部の一方から他方へと挿通される。
【００２１】
そして、第１挿入部に挿通した第１紐体のうち、第１挿入部を構成し互いに対向する挿入孔間を挿通する部分が保持部となる。同様に、第２紐体のうち、第２挿入部を構成し互いに対向する挿入孔間を挿通する部分が他の容器を保持する保持部となる。本発明はこれらの両保持部で容器を挟持して保持する。すなわち、第１紐体の一部である保持部と、第２紐体の一部である保持部と、対向する一対の幅広側部とで保持空間が形成される。たとえば、図９のように、保持部３１ａと、保持部３１ａ´と、対向する一対の幅広側部１２ａ、１２ａ´とで保持空間Ｓが形成される。
【発明の効果】
【００２２】
本発明は、簡単な構造で複数の容器を安定的に保持して収容し、持ち運ぶことができるという効果を奏する。安定的に保持されるため、容器が互いに接触して破損する恐れが少ない。
【発明を実施するための最良の形態】
【００２３】
以下、本発明を実施するための最良の形態を、実施例として示す各図と共に説明する。図１ないし図１０は本発明の手提袋の実施例である。
【実施例１】
【００２４】
実施例１に係る手提袋Ｐ１を図１〜５に示す。
【００２５】
手提袋Ｐ１は袋本体１と紐体２（２１、２１´）とからなる。
【００２６】
袋本体１は底部１１と側部１２（１２ａ、１２ａ´、１２ｂ、１２ｂ´）で構成された厚紙の袋である。底部１１は２つの容器Ｂ、Ｂ´を載置するものである。底部１１は容器Ｂ、Ｂ´の底面と接触する矩形状の平面であり、段差のない平坦面である。
【００２７】
側部１２は、一対の幅広側部１２ａ、１２ａ´と一対の幅狭側部１２ｂ、１２ｂ´とによって底部１１の周囲を囲うようにして底部１１と一体的に形成される。
【００２８】
幅狭側部１２ｂには折目が形成される。折目は谷折縦部１２ｃと谷折傾斜部１２ｄを有する。谷折傾斜部１２ｄは、幅狭側部１２ｂの両側下端からそれぞれ中央側に向かって傾斜する２つの折目であり、両者は、幅狭側部１２ｂの幅のほぼ中央で接合して谷折頂部１２ｅを形成する。谷折縦部１２ｃは幅狭側部１２ｂの幅をほぼ中央で二分する直線状の折目であり、幅狭側部１２ｂの上端から谷折頂部１２ｅまでの間に形成される。
【００２９】
同様に、幅狭側部１２ｂに対向する幅狭側部１２ｂ´にも折目が形成される。折目は谷折縦部１２ｃ´、谷折傾斜部１２ｄ´、谷折頂部１２ｅ´を有する（図示しない）。具体的構成は、上記の谷折縦部１２ｃ等と同様である。
【００３０】
次に幅広側部１２ａ、１２ａ´について説明する。互いに対向する幅広側部１２ａ、１２ａ´には、挿入部１３（１３ａ、１３ｂ、１３ｃ、１３ｄ）、１３´（１３ａ´、１３ｂ´、１３ｃ´、１３ｄ´）が形成される。挿入部１３、１３´は、対向する一対の幅広側部１２ａ、１２ａ´にそれぞれ形成され、一の幅広側部１２ａに形成されるのが第１挿入部１３であり、他の幅広側部１２ａ´に形成されるのが第２挿入部１３´である。
【００３１】
第１挿入部１３は、幅広側部１２ａに穿孔された複数の挿入孔からなる。第１挿入部１３は、４つの挿入孔、すなわち、挿入孔１３ａ、１３ｂ、１３ｃ，１３ｄで構成される。これらの挿入孔は所定間隔を開けて水平方向に並列し、すべて同じ高さに形成されている。
【００３２】
同様に、第２挿入部１３´は挿入孔１３ａ´、１３ｂ´、１３ｃ´，１３ｄ´で構成される。これらの挿入孔も所定間隔を開けて水平方向に並列している。第２挿入部１３´を構成する挿入孔もすべて同じ高さに形成されており、第１挿入部１３を構成する挿入孔１３ａ等のそれぞれと同じ高さである。
【００３３】
また、各挿入孔から幅狭側部１２ｂ（の側端）までの距離は、挿入孔１３ａと１３ａ´、挿入孔１３ｂと１３ｂ´、挿入孔１３ｃと１３ｃ´、挿入孔１３ｄと１３ｄ´のそれぞれが同じである。よって、挿入孔１３ａと１３ａ´は互いに向かい合う位置に形成され、同様に、挿入孔１３ｂと１３ｂ´、挿入孔１３ｃと１３ｃ´、挿入孔１３ｄと１３ｄ´もそれぞれ互いに向かい合う位置に形成されている。
【００３４】
第１挿入部１３、第２挿入部１３´には紐体２（２１、２１´）が挿通される。
【００３５】
紐体２は屈曲自在の素材で構成されたものである。紐体２は第１紐体２１と第２紐体２１´からなり、第１紐体２１を第１挿入部１３に挿通し、第２紐体２１´を第２挿入部１３´に挿通する。
【００３６】
第１紐体２１は保持部２１ａと把持部２１ｂを有する。手提袋Ｐの内側（容器Ｂが入る側）に位置する第１紐体２１の一部が容器Ｂを保持するための保持部２１ａである。そして、第１紐体２１のその他の一部が手提袋Ｐを持ち上げるための把持部２１ｂである。すなわち、第１紐体２１を第１挿入部１３に挿通することにより、第１紐体２１は手提袋Ｐの内側に位置する箇所と外側に位置する箇所を有し、手提袋Ｐの内側に位置する一部が容器Ｂを保持するための保持部２１ａであり、第１紐体２１のその他の一部が手提袋Ｐを持ち上げるための把持部２１ｂである。
【００３７】
具体的には、第１紐体２１のうち、第１挿入部１３の互いに隣り合う挿入孔１３ｄ−１３ｃ間を挿通する部分が第１保持部２１ａである。そして、第１紐体２１のうち、第１挿入部１３の互いに隣り合わず、挿入孔１３ｂ、１３ｃを隔てて形成された挿入孔１３ｄ−１３ａ間を挿通する部分が把持部２１ｂである。
【００３８】
同様に、第２紐体２１´は保持部２１ａ´と把持部２１ｂ´を有する。手提袋Ｐの内側（容器Ｂが入る側）に位置する第２紐体２１´の一部が容器Ｂ´を保持するための保持部２１ａ´である。そして、第２紐体２１´のその他の一部が手提袋Ｐを持ち上げるための把持部２１ｂ´である。第２紐体２１´を第２挿入部１３´に挿通することにより、第２紐体２１´は、手提袋Ｐの内側に位置する箇所と外側に位置する箇所を有し、手提袋Ｐの内側に位置する一部が容器Ｂ´を保持するための保持部２１ａ´であり、第２紐体２１´のその他の一部が手提袋Ｐを持ち上げるための把持部２１ｂ´である。
【００３９】
具体的には、第２紐体２１´のうち、第２挿入部１３´の互いに隣り合う挿入孔１３ａ´−１３ｂ´間を挿通する部分が第２保持部２１ａ´である。そして、第２紐体２１´のうち、第２挿入部１３´の互いに隣り合わず、挿入孔１３ｂ´、１３ｃ´を隔てて形成された挿入孔１３ａ−１３ｄ間を挿通する部分が把持部２１ｂ´である。
【００４０】
このように、第１挿入部１３の挿入孔１３ｄ−１３ｃ間を挿通する部分が第１保持部２１ａであり、第２挿入部１３´の挿入孔１３ａ´−１３ｂ´間を挿通する部分が第２保持部２１ａ´である。そして、挿入孔１３ｄ−１３ｃと挿入孔１３ａ´−１３ｂ´は対向しない。
【００４１】
また、２つの保持部（第１保持部２１ａと第２保持部２１ａ´）の間隔は、各保持部を中心（挿入孔１３ｄ−１３ｃ間の中央、挿入孔１３ａ´−１３ｂ´間の中央）として容器Ｂ、Ｂ´を置いたときに、２つの容器Ｂ、Ｂ´が接触しないだけの距離を隔てたものである。
【００４２】
すなわち、図４に示すとおり、容器Ｂと容器Ｂ´を載置して、保持空間Ｓ、Ｓ´に容器Ｂ、Ｂ´の上端の細首部を位置させたとき、容器Ｂと容器Ｂ´とは接触しない位置で保持されるものである。
【００４３】
第１紐体２１は係止部２１ｃ、２１ｄを有する。係止部２１ｃ、２１ｄは第１紐体２１の端部に形成される。これは、第１紐部２１の端部を幅広側部１２ａの挿入孔１３ａ、１３ｂに係止するものである。よって、係止部２１ｃ、２１ｄの大きさは挿入部１３ａ、１３ｂよりも大きい。
【００４４】
同様に、第２紐体２１´は係止部２１ｃ´、２１ｄ´を有する。係止部２１ｃ´、２１ｄ´は第２紐体２１´の端部に形成され、第２紐部２１´の端部を幅広側部１２ａ´の挿入孔１３ｃ´、１３ｄ´に係止するものである。
【００４５】
第１紐体２１は、第１挿入部１３（挿入孔１３ａ、１３ｂ、１３ｃ、１３ｄ）に対して次のように挿通される。
【００４６】
第１紐体２１の後端に結び目を作って係止部２１ｃを形成し、次いで、第１紐体２１の先端を手提袋Ｐの内側から挿入孔１３ａに挿入し、挿入孔１３ａから抜け出た第１紐体２１の先端を手提袋Ｐの外側から挿入孔１３ｄに挿入し、次いで、挿入孔１３ｄから抜け出た第１紐体２１の先端を内側から挿入孔１３ｃに挿入し、挿入孔１３ｃから抜け出た第１紐体２１の先端を外側から挿入孔１３ｂに挿入し、挿入孔１３ｂから抜け出た第１紐体２１の先端に結び目を作って係止部２１ｄを形成して挿通される。
【００４７】
同様に、第２紐体２１´の後端に結び目を作って係止部２１ｃ´を形成し、次いで、第２紐体２１´の先端を手提袋Ｐの内側から挿入孔１３ｄ´に挿入し、挿入孔１３ｄ´から抜け出た第２紐体２１´の先端を手提袋Ｐの外側から挿入孔１３ａ´に挿入し、次いで、挿入孔１３ａ´から抜け出た第２紐体２１´の先端を内側から挿入孔１３ｂ´に挿入し、挿入孔１３ｂ´から抜け出た第２紐体２１´の先端を外側から挿入孔１３ｃ´に挿入し、挿入孔１３ｃ´から抜け出た第２紐体２１の先端に結び目を作って係止部２１ｄ´を形成して挿通される。
【００４８】
このようにして構成された手提袋Ｐは保持空間Ｓ、Ｓ´を有する。
【００４９】
保持空間Ｓ、Ｓ´は、手提袋Ｐの内側に位置する保持部２１ａ、２１ａ´と側部１２ａ、１２ａ´の内面とによって形成される。すなわち、第１保持部２１ａと、その挿入孔間(挿入孔１３ｄ−１３ｃ)の間隔面（幅広側部１２ａの一部）とで一の保持空間Ｓを形成し、第２保持部２１ａ´とその挿入孔（挿入孔１３ａ´−１３ｂ´）間の間隔面（幅広側部１２ａ´の一部）とで他の保持空間Ｓ´を形成する。
【００５０】
保持空間Ｓ、Ｓ´は、第１紐体２１及び第２紐体２１´の把持部２１ｂ、２１ｂ´をつかんで手提袋を持ち上げることにより縮小する。具体的には、第１紐体２１の把持部２１ｂをつかんで持ち上げると、挿入孔１３ｄから第１紐体２１が外側に送り出され、第１保持部２１ａを構成する紐体の距離が短くなるので、内側に位置する紐体は、保持空間Ｓ内に位置させた容器Ｂの上端の細首部に接触するようになる。次いで、第１保持部２１ａは、容器Ｂの細首部を幅広側部１２ａの内面方向に押圧して接触させるようになる。このようにして、保持空間Ｓが小さくなって容器Ｂが保持される。なお、第２紐体２１´もこれと同様にして容器Ｂ´を保持する。
【００５１】
このとき、把持部２１ｂ及び２１ｂ´をつかんで持ち上げると、係止部３１ｄ、３１ｅが幅広側部１２ａに係止しているので、幅広側部１２ａ、１２ａ´は、折目１２ｃ等に案内されて、袋本体１の中央方向に傾斜する。図３、５に示すように、幅広側部１２ａと幅広側部１２ａ´との間隔が狭まるようになる。
【００５２】
なお、本実施例に示す手提袋Ｐの実寸は、幅広側部1２ａ、１２ａ´が縦約３２ｃｍ×横約２６ｃｍ、幅狭側部１２ｂ、１２ｂ´が縦約３２ｃｍ×横約１０ｃｍである。また、各挿入孔の高さは約２５．５ｃｍである。幅狭側部１２ａの側端（１２ｂ側）から各挿入孔までの距離は、それぞれ、約６ｃｍ（１３ａ）、約９ｃｍ（１３ｂ）、約１７ｃｍ（１３ｃ）、約２０ｃｍ（１３ｄ）である。また、幅狭側部１２ｂの側端（１２ｂ側）から各挿入孔までの距離は、それぞれ、約６ｃｍ（１３ａ´）、約９ｃｍ（１３ｂ´）、約１７ｃｍ（１３ｃ´）、約２０ｃｍ（１３ｄ´）である。
【００５３】
なお、本実施例は、容器Ｂ、Ｂ´を収容して保持しない場合、紐体２の把持部２１ｂ、２１ｂ´を持って引き上げると、保持部２１ａ、２１ａ´は手提袋の内面に沿うようになる。そのため、保持空間Ｓ、Ｓ´は相当小さくなるので（限りなくゼロに近い）、ワイン瓶などの容器を収容するに限らず、他の用途にも活用できるという利点がある。
【００５４】
また、本実施例では、手提袋Ｐを持ち上げることにより、保持部２１ａ，２１ａ´によって容器Ｂが幅広側部１２ａ，１２ａ´の内面に押し付けられて保持されるので、持ち運びの際に多少手提げ袋を揺らしたとしても、容器Ｂとその隣に並列して収容される他の容器Ｂ´が接触する可能性は低い。
【００５５】
なお、本実施例では紐体２を２つ使用しているが（第１紐体２１と第２紐体２１´）、１つの紐体によって２つの容器を保持することも可能である。すなわち、一の幅広側部に４つの挿入孔を水平方向に並列して形成し、隣り合う２組の挿入孔にそれぞれ保持部を形成する。たとえば、挿入孔を端から順に、第１挿入孔、第２挿入孔、第３挿入孔、第４挿入孔とすれば、次のように紐体を挿通する。すなわち、紐体は、その後端に結び目を作って係止部を形成し、次いで、紐体の先端を手提袋Ｐの外側から第２挿入孔に挿入し、第２挿入孔から抜け出た紐体の先端を手提袋Ｐの内側から第１挿入孔に挿入し、次いで、第１挿入孔から抜け出た紐体の先端を外側から第４挿入孔に挿入し、第４挿入孔から抜け出た紐体の先端を内側から第３挿入孔に挿入し、第３挿入孔から抜け出た紐体の先端に結び目を作って係止部を形成して挿通される。この場合、第２挿入孔―第１挿入孔間、第４挿入孔―第３挿入孔間に挿通した紐体がそれぞれ保持部となる。
【００５６】
また、本実施例では、一の幅広側部に４つの挿入孔を形成したが、数に制限はく、たとえば３つの挿入孔でも良い。一の幅広側部に３つの挿入孔を水平方向に並列して形成し、挿入孔を端から順に、第１挿入孔、第２挿入孔、第３挿入孔とすれば、次のように紐体を挿通する。すなわち、紐体は、その後端に結び目を作って係止部を形成し、次いで、紐体の先端を手提袋Ｐの内側から第１挿入孔に挿入し、第１挿入孔から抜け出た紐体の先端を手提袋Ｐの外側から第３挿入孔に挿入し、次いで、第３挿入孔から抜け出た紐体の先端を内側から第２挿入孔に挿入し、第２挿入孔から抜け出た紐体の先端を外側から第１挿入孔に挿入し、第１挿入孔から抜け出た紐体の先端に結び目を作って係止部を形成して挿通する。この場合、第３挿入孔―第２挿入孔間に挿通した紐体が保持部になる。また、第１挿入孔には紐体の先端と後端の両方が挿入されて係止されている。
【００５７】
また、本実施例では、紐体の端部に係止部を設けているが、係止部に代えて、直接的に手提袋の側部に固着することもできる。すなわち、本実施例でいえば、挿入孔１３ａ、１３ｂ、１３ａ´、１３ｂ´に変えて、紐体をその位置に直接的に固着して係止部とすることもできる。
【００５８】
なお、３本の容器を収容する場合は、一の幅広側部に２つの保持部を形成し、対向する他の幅広側部に１つの保持部を形成する。たとえば、上述したように、１つの紐体によって２つの容器を保持する構成を採用すればよい。
【実施例２】
【００５９】
次に、実施例２である手提袋Ｐ２を図６から１０に示す。
【００６０】
実施例２も、実施例１と同様に、袋本体１は底部１１と側部１２で構成される。
【００６１】
したがって、底部１１と側部１２の主な構成は上記実施例１と同様であるので説明は省略する。
【００６２】
以下、実施例１と同様の構成であるものは同じ符号を用いつつ、異なる部分を中心に説明する。
【００６３】
幅広側部１２ａ、１２ａ´には挿入部１４（１４ｂ、１４ｃ、１４ｂ´、１４ｃ´）、１４´（１４ａ、１４ｄ、１４ａ´、１４ｄ´）が形成される。
【００６４】
挿入部１４、１４´は、対向する一対の幅広側部１２ａ、１２ａ´に形成され、
一対の幅広側部１２ａ、１２ａ´のそれぞれに４つの挿入孔を形成して第１挿入部と第２挿入部を構成する。
【００６５】
本実施例における第１挿入部１４は、対向する二対の挿入孔（１４ｂ―１４ｂ´、１４ｃ−１４ｃ´）である。すなわち、第１挿入部１４は、幅広側部１２ａにおいて並列して形成された挿入孔のうちの両側の挿入孔１４ａ、１４ｄに挟まれた内側の２つの挿入孔１４ｂ、１４ｃと、幅広側部１２ａ´において水平方向に並列して形成された挿入孔のうち両側の挿入孔１４ａ´、１４ｄ´に挟まれた内側の２つの挿入孔１４ｂ´、１４ｃ´である。
【００６６】
第１挿入部１４は、挿入孔１４ｂ、１４ｃ、１４ｂ´、１４ｃ´で構成される。この第１挿入部１４は後述する第１紐体３１が挿通される挿入孔の集合である。
【００６７】
第２挿入部１４´は、対向する二対の挿入孔（１４ａ−１４ａ´、１４ｄ−１４ｄ´）である。すなわち、第２挿入部１４´は、幅広側部１２ａにおいて水平方向に並列して形成された挿入孔のうちの両側の挿入孔１４ａ、１４ｄと、幅広側部１２ａ´において並列して形成された挿入孔のうち両側の挿入孔１４ａ´、１４ｄ´である。このように、第２挿入部１４´は１４ａ、１４ｄ、１４ａ´，１４ｄ´で構成される。この第２挿入部１４´は後述する第２紐体３１´が挿通される挿入孔の集合である。第２挿入部１４´を構成する挿入孔はすべて同じ高さに形成されており、第１挿入部１４を構成する挿入孔１４ｂ等のそれぞれと同じ高さとしている。
【００６８】
なお、幅狭側部１２ｂの側端から各挿入孔までの距離は、挿入孔１４ａと１４ａ´、挿入孔１４ｂと１４ｂ´、挿入孔１４ｃと１４ｃ´、挿入孔１４ｄと１４ｄ´のそれぞれが同じである。よって、挿入孔１４ａと１４ａ´は互いに向かい合う位置に形成され、同様に、挿入孔１４ｂと１４ｂ´、挿入孔１４ｃと１４ｃ´、挿入孔１４ｄと１４ｄ´もそれぞれ互いに向かい合う位置に形成されている。
【００６９】
第１挿入部１４、第２挿入部１４´に紐体３（３１、３１´）を挿通する。
【００７０】
紐体３は屈曲自在の素材で構成される。紐体３は第１紐体３１と第２紐体３１´とからなり、第１紐体３１は第１挿入部１４に挿入し、第２紐体３１´は第２挿入部１４´に挿入する。
【００７１】
第１紐体３１は保持部３１ａ、３１ｂと把持部３１ｃを有する。手提袋Ｐの内側（容器Ｂが入る側）に位置する第１紐体３１の一部が容器Ｂを保持するための保持部３１ａ、３１ｂである。そして、第１紐体３１のその他の一部が手提袋Ｐを持ち上げるための把持部３１ｃである。すなわち、第１紐体３１を第１挿入部１４に挿通することにより、第１紐体３１は手提袋Ｐの内側に位置する箇所と外側に位置する箇所を有し、手提袋Ｐの内側に位置する一部が容器を保持するための保持部３１ａ、３１ｂであり、第１紐体３１のその他の一部が手提袋Ｐを持ち上げるための把持部３１ｃである。
【００７２】
より具体的には、第１紐体３１のうち、第１挿入部１４の互いに対向する挿入孔１４ｂ−１４ｂ´間に挿通した部分が保持部３１ａである。第１紐体３１のうち、第１挿入部１４の互いに対向する挿入孔１４ｃ−１４ｃ´間に挿通した部分が保持部３１ｂである。そして、第１挿入部１４の互いに対向せず、隣り合う挿入孔１４ｂ´−１４ｃ´間を挿通する部分が把持部３１ｃである。
【００７３】
また、同様に、第２紐体３１´は保持部３１ａ´、３１ｂ´と把持部３１ｃ´を有する。手提袋Ｐの内側（容器Ｂが入る側）に位置する第２紐体３１´の一部が容器Ｂ´を保持するための保持部３１ａ´、３１ｂ´である。そして、第２紐体３１´のその他の一部が手提袋Ｐを持ち上げるための把持部３１ｃ´である。
【００７４】
すなわち、第２紐体３１´を第２挿入部１４´に挿通することにより、第２紐体３１´は、手提袋Ｐの内側に位置する箇所と外側に位置する箇所を有し、手提袋Ｐの内側に位置する一部が容器Ｂ´を保持するための保持部３１ａ´、３１ｂ´であり、第２紐体３１´のその他の一部が手提袋Pを持ち上げるための把持部３１ｃ´である。
【００７５】
より具体的には、第２紐体３１´のうち、第２挿入部１４´の互いに対向する挿入孔１４ａ−１４ａ´間に挿通した部分が保持部３１ａ´である。第２紐体３１´のうち、第２挿入部１４´の互いに対向する挿入孔１４ｄ−１４ｄ´間に挿通した部分が保持部３１ｂ´である。そして、第２挿入部１４´の互いに対向せず、他の挿入孔１４ｂ、１４ｃを隔てて形成された挿入孔１４ａ−１４ｄ間を挿通する部分が把持部３１ｃ´である。
【００７６】
第１紐体３１の保持部３１ａ（挿入孔１４ｂ−１４ｂ´間）と第２紐体３１´の保持部３１ａ´（挿入孔１４ａ−１４ａ´間）とで容器Ｂ´を挟持する。
【００７７】
他方、第１紐体３１の保持部３１ｂ（挿入孔１４ｃ−１４ｃ´間）と第２紐体３１´の保持部３１ｂ´（挿入孔１４ｄ−１４ｄ´間）とで容器Ｂを挟持する。
【００７８】
また、各保持部の位置は、容器を挟持したときに、２つの容器が接触しないだけの距離を隔てている。
【００７９】
第１紐体３１は係止部３１ｄ、３１ｅを有する。係止部３１ｄ、３１ｅは第１紐体３１の端部に形成され、第１紐部３１の端部を幅広側部１２ａの挿入孔に係止するものである。本実施例では、挿入孔１４ｂ、１４ｃに係止している。
【００８０】
同様に、第２紐体３１´は係止部３１ｄ´、３１ｅ´を有する。係止部３１ｄ´、３１ｅ´は、第２紐体３１´の端部に形成され、第２紐部３１´の端部を幅広側部１２ａ´の挿入孔に係止するものである。本実施例では、挿入孔１４ａ´、１４ｄ´に係止している。
第１紐体３１は、第１挿入部１４に対して次のようにして挿通される。
【００８１】
第１紐体３１の後端に結び目を作って係止部３１ｄを形成し、次いで、第１紐体３１の先端を手提袋Ｐの外側から挿入孔１４ｂに挿入し、挿入孔１４ｂから抜け出た第１紐体３１の先端を手提袋Ｐの内側から対向する挿入孔１４ｂ´に挿入し、次いで、挿入孔１４ｂ´から抜け出た第１紐体３１の先端を外側から挿入孔１４ｃ´に挿入し、挿入孔１４ｃ´から抜け出た第１紐体３１の先端を内側から挿入孔１４ｃに挿入し、挿入孔１４ｃから抜け出た第１紐体２１の先端に結び目を作って係止部３１ｅを形成して挿通される。
【００８２】
また、第２紐体３１´の後端に結び目を作って係止部３１ｄ´を形成し、次いで、第２紐体３１´の先端を手提袋Ｐの外側から挿入孔１４ａ´に挿入し、挿入孔１４ａ´から抜け出た第２紐体３１´の先端を手提袋Ｐの内側から対向する挿入孔１４ａに挿入し、次いで、挿入孔１４ａから抜け出た第２紐体３１´の先端を外側から挿入孔１４ｄに挿入し、挿入孔１４ｄから抜け出た第２紐体３１´の先端を内側から対向する挿入孔１４ｄ´に挿入し、挿入孔１４ｄ´から抜け出た第２紐体３１´の先端に結び目を作って係止部３１ｅ´を形成して挿通される。
【００８３】
このようにして構成された手提袋Ｐは保持空間Ｓ、Ｓ´を有する。
【００８４】
すなわち、保持部３１ａ、３１ａ´、３１ｂ、３１ｂ´と一対の幅広側部１２ａ，１２ａ´とによって２つの保持空間Ｓ、Ｓ´を形成する。対向する挿入孔間（１４ａ−１４ａ´間、１４ｂ−１４ｂ´間）に挿通された紐体３と、対向する幅広側部１２ａ，１２ａ´とによって保持空間Ｓを形成する。具体的には、保持部３１ａと、保持部３１ａ´と、保持部３１ａ、３１ａ´が挿通する挿入孔間（１４ａ−１４ｂ間、１４ａ´−１４ｂ´間）の間隔面（幅広側部１２ａの一部と、１２ａ´の一部）とで保持空間Ｓを形成する。水平方向に並列する挿入孔１４ａ、１４ｂの間を間隔面とし、この間隔面と、間隔面の両端（挿入孔１４ａと挿入孔１４ｂ）から対向する間隔面の両端（挿入孔１４ａ´と挿入孔１４ｂ´）に向かって延びる保持部（３１ａ、３１ａ´）とで囲まれた空間を形成し、これが保持空間Ｓとなる。
【００８５】
同様に、対向する挿入孔間（１４ｃ−１４ｃ´間、１４ｄ−１４ｄ´間）に挿通された紐体３と、対向する幅広側部１２ａ，１２ａ´とによって保持空間Ｓ´を形成する。具体的には、保持部３１ｂ、３１ｂ´と、保持部３１ｂ、３１ｂ´が挿通する挿入孔の間（１４ｃ−１４ｄ間、１４ｃ´−１４ｄ´間）の間隔面とで保持空間Ｓ´を形成する。水平方向に並列する挿入孔１４ｃ，１４ｄの間を間隔面とし、この間隔面と、間隔面の両端（挿入孔１４ｃと挿入孔１４ｄ）から対向する間隔面の両端（挿入孔１４ｃ´と挿入孔１４ｄ´）に向かって延びる保持部（３１ｂ、３１ｂ´）とで囲まれた空間を形成し、これが保持空間Ｓ´となる。
【００８６】
このようにして形成された保持空間Ｓ、Ｓ´は、第１紐体３１及び第２紐体３１´の把持部３１ｃ、３１ｃ´をつかんで手提袋を持ち上げることにより縮小する。
【００８７】
第１紐体３１の把持部３１ｃをつかんで持ち上げると、挿入孔１４ｂ´、１４ｃ´から第１紐体３１が外側に送り出され、保持部３１ａ、３１ｂの距離が短くなってゆき、同様に、第２紐体３１´の把持部３１ｃ´をつかんで持ち上げると、挿入孔１４ａ、１４ｄから第２紐体３１´が外側に送り出され、保持部３１ａ´、３１ｂ´の距離が短くなって、保持空間Ｓ、Ｓ´は縮小する。次いで、保持空間Ｓ、Ｓ´内に位置させた容器Ｂの上端の細首部を、幅広側部１２ａの内面と幅広側部１２ａの内面とが挟持するようになる。このようにして、保持空間Ｓ、Ｓ´が小さくなって容器Ｂが保持される。
【００８８】
紐体３１の把持部３１ｃをつかんで持ち上げると、係止部３１ｄ、３１ｅが幅広側部１２ａに係止しているので、幅広側部１２ａは袋本体１の中央方向に傾斜する。他方、紐体３１´の把持部３１ｃ´をつかんで持ち上げると、係止部３１ｄ、３１ｅが幅広側部１２ａに係止しているので、幅広側部１２ａ´は袋本体１の中央方に傾斜する。このようにして、図８、１０に示すように、幅広側部１２ａと幅広側部１２ａ´との上端での間隔が狭まる。このようにして、幅広側部１２ａ，１２ａ´の内面と容器Ｂ、Ｂ´の首細部の先端部が接触するようになる。そして、傾斜して間隔が狭くなった対向する幅広側部１２ａ、１２ａ´の上端部が、容器Ｂ、Ｂ´の細首部の先端部を挟持するようにして保持する。なお、容器Ｂ、Ｂ´の細首部の先端部は、保持部３１ａ及びａ´、保持部ｂ及びｂ´によっても挟持されている。
【００８９】
なお、本実施例の実寸は、幅広側部１２ａ、１２ａ´が縦約３２ｃｍ×横約２６ｃｍ、幅狭側部１２ｂ、１２ｂ´が縦約３２ｃｍ×横約１０ｃｍである。また、各挿入孔の高さは約２５．５ｃｍである。幅狭側部１２ａの側端（１２ｂ側）から各挿入孔までの距離は、それぞれ、約６ｃｍ（１４ａ）、約９ｃｍ（１４ｂ）、約１７ｃｍ（１４ｃ）、約２０ｃｍ（１４ｄ）である。また、幅狭側部１２ｂの側端（１２ｂ側）から各挿入孔までの距離は、それぞれ、約６ｃｍ（１４ａ´）、約９ｃｍ（１４ｂ´）、約１７ｃｍ（１４ｃ´）、約２０ｃｍ（１４ｄ´）である。
【００９０】
なお、他の実施形態として次のように紐体を挿通することもできる。
【００９１】
第１紐体の後端に結び目を作って係止部を形成し、次いで、第１紐体の先端を手提袋Ｐの外側から挿入孔１４ａに挿入し、挿入孔１４ａから抜け出た第１紐体の先端を手提袋の内側から対向する挿入孔１４ａ´に挿入し、次いで、挿入孔１４ａ´から抜け出た第１紐体の先端を外側から挿入孔１４ｃ´に挿入し、挿入孔１４ｃ´から抜け出た第１紐体の先端を内側から挿入孔１４ｃに挿入し、挿入孔１４ｃから抜け出た第１紐体の先端に結び目を作って係止部を形成して挿通される。
【００９２】
また、第２紐体の後端に結び目を作って係止部を形成し、次いで、第２紐体の先端を手提袋Ｐの外側から挿入孔１４ｂ´に挿入し、挿入孔１４ｂ´から抜け出た第２紐体の先端を手提袋Ｐの内側から対向する挿入孔１４ｂに挿入し、次いで、挿入孔１４ｂから抜け出た第２紐体の先端を外側から挿入孔１４ｄに挿入し、挿入孔１４ｄから抜け出た第２紐体の先端を内側から対向する挿入孔１４ｄ´に挿入し、挿入孔１４ｄ´から抜け出た第２紐体の先端に結び目を作って係止部を形成して挿通される。このようにして手提袋に保持空間を形成することもできる。
【図面の簡単な説明】
【００９３】
【図１】本発明の実施例１を示す斜視図。
【図２】本発明の実施例１を示す斜視図（容器を載置した状態）。
【図３】本発明の実施例１を示す斜視図（手提袋を持ち上げた状態）。
【図４】本発明の実施例１を示す平面図（容器を載置した状態）。
【図５】本発明の実施例１を示す平面図（手提袋を持ち上げた状態）。
【図６】本発明の実施例２を示す斜視図。
【図７】本発明の実施例２を示す斜視図（容器を載置した状態）。
【図８】本発明の実施例２を示す斜視図（手提袋を持ち上げた状態）。
【図９】本発明の実施例２を示す平面図（容器を載置した状態）。
【図１０】本発明の実施例２を示す平面図（手提袋を持ち上げた状態）。
【符号の説明】
【００９４】
１  袋本体  
１１  底部
１２ａ、１２ａ´  幅広側部
２１、２１´  紐体
３１、３１´  紐体
【図１】
2006327626.tif 000003
【図２】
2006327626.tif 000004
【図３】
2006327626.tif 000005
【図４】
2006327626.tif 000006
【図５】
2006327626.tif 000007
【図６】
2006327626.tif 000008
【図７】
2006327626.tif 000009
【図８】
2006327626.tif 000010
【図９】
2006327626.tif 000011
【図１０】
2006327626.tif 000012